(57)【要約】【課題】高画質な圧縮映像信号を記録しつつ、内容の確認、送信をデータ量の少ない圧縮映像信号で簡便に行える映像記録装置および記録媒体を提供する。【解決手段】符号化された高画質な圧縮映像信号Ｖ１を、記録媒体１００のメモリ１０３に記録し、圧縮映像信号Ｖ１よりも高い圧縮率で符号化された圧縮映像信号Ｖ２を、メモリ１０２に記録する。メモリ１０２を含むメモリカード１０１は記録媒体１００から取り外し可能になるように記録媒体１００の形状を構成する。【選択図】図２
2005167457.tif 000002
【特許請求の範囲】
【請求項１】
着脱可能な第１のメモリおよび前記第１のメモリよりも大容量である第２のメモリを備えた記録媒体に対して映像信号を圧縮した圧縮映像信号を記録する映像記録装置であって、前記映像信号を入力する映像入力手段と、
前記映像入力手段から入力された映像信号を圧縮符号化して第１の圧縮映像信号および第２の圧縮映像信号を生成する符号化手段と、
前記記録媒体への書き込みの制御を行う制御手段とを有し、
前記符号化手段は、前記第１の圧縮映像信号を前記第２の圧縮映像信号よりもデータ量が少なくなるように圧縮符号化し、
前記制御手段は、前記第１の圧縮映像信号を前記第１のメモリに記録し、前記第２の圧縮映像信号を前記第２のメモリに記録する映像記録装置。
【請求項２】
前記符号化手段は、前記第１の圧縮映像信号を前記第２の圧縮映像信号よりも高い圧縮率で圧縮符号化する、請求項１記載の映像記録装置。
【請求項３】
前記符号化手段は、前記第１の圧縮映像信号を前記第２の圧縮映像信号を縮小して圧縮符号化する、請求項１記載の映像記録装置。
【請求項４】
着脱可能な第１のメモリおよび前記第１のメモリよりも大容量である第２のメモリを備えた記録媒体に対して映像信号を圧縮した圧縮映像信号を記録する映像記録装置であって、
映像信号を入力する映像入力手段と、
前記映像入力手段から入力された映像信号を圧縮符号化して第２の圧縮映像信号を生成する符号化手段と、
前記第２の圧縮映像信号を前記第２の圧縮映像信号よりもデータ量が少なくなるように前記第１の圧縮映像信号に変換するフォーマット変換手段と、
前記記録媒体への書き込みおよび読み出しの制御を行う制御手段とを有し、
前記制御手段は、前記第２の圧縮映像信号を前記第２のメモリに記録し、前記第２の圧縮映像信号を前記第２のメモリから読み出して前記フォーマット変換手段に入力し、前記フォーマット変換手段によって変換された前記第１の圧縮映像信号を前記第１のメモリに記録する映像記録装置。
【請求項５】
前記フォーマット変換手段は、前記第１の圧縮映像信号を前記第２の圧縮映像信号よりも高い圧縮率で圧縮符号化する、請求項４記載の映像記録装置。
【請求項６】
前記フォーマット変換手段は、前記第１の圧縮映像信号を前記第２の圧縮映像信号を縮小して圧縮符号化する、請求項４記載の映像記録装置。
【請求項７】
着脱可能な第１のメモリおよび前記第１のメモリよりも大容量である第２のメモリを備えた記録媒体に対して映像信号を圧縮した圧縮映像信号を記録する映像記録装置であって、
映像信号を入力する映像入力手段と、
前記映像入力手段から入力された映像信号を圧縮符号化して第１の圧縮映像信号および第２の圧縮映像信号を生成する符号化手段と、
前記記録媒体への書き込みの制御を行う制御手段とを有し、
前記符号化手段は、入力された映像信号を縮小した縮小映像を圧縮符号化して前記第１の圧縮映像信号とし、前記入力された映像信号から前記縮小映像を減算した差分について圧縮符号化して前記第２の圧縮映像信号とし、
前記制御手段は、前記第１の圧縮映像信号を前記第１のメモリに記録し、前記第２の圧縮映像信号を前記第２のメモリに記録する映像記録装置。
【請求項８】
音声信号を入力する音声入力手段をさらに有し、
前記制御手段は、音声信号と入力映像に付随する情報の少なくともいずれか一方を前記第１のメモリに記録する請求項１乃至７のいずれかに記載の映像記録装置。
【請求項９】
前記制御手段は、前記第２のメモリに記録された前記第２の圧縮映像信号の再生を許可する鍵となる情報を前記第１のメモリに記録する請求項１乃至８のいずれかに記載の映像記録装置。
【請求項１０】
着脱可能な第１のメモリおよび前記第１のメモリよりも大容量である第２のメモリを備えた記録媒体に対して映像信号を圧縮した圧縮映像信号を記録する映像記録装置であって、映像信号を入力する映像入力手段と、
前記映像入力手段から入力された映像信号を圧縮符号化して第１の圧縮映像信号および第２の圧縮映像信号を生成する符号化手段と、
前記記録媒体への書き込みの制御を行う制御手段とを有し、
前記符号化手段は、入力された映像信号のうち所定の選択方法によって選択された箇所のみを、前記第２の圧縮映像信号よりもデータ量が少なくなるように圧縮符号化して前記第１の圧縮映像信号とし、
前記制御手段は、前記第１の圧縮映像信号を前記第１のメモリに記録し、前記第２の圧縮映像信号を前記第２のメモリに記録する映像記録装置。
【請求項１１】
着脱可能なＳＤメモリカードと、
前記ＳＤメモリカードよりも大容量であるメモリとを備え、
ＰＣＭＣＩＡに準拠したカード形状である記録媒体。
【発明の詳細な説明】
【技術分野】
【０００１】
本発明は、映像信号を圧縮した圧縮映像信号等を記録する映像記録装置および記録媒体に関する。
【背景技術】
【０００２】
撮影した映像信号を圧縮して得られる圧縮映像信号をＳＤメモリーカード等のメモリカード、ＤＶＤ等の光ディスク、ＤＶＣ等のテープ等、記録媒体に記録再生する機器は、業務用デジタルカメラレコーダや、デジタルカメラ、携帯電話等、数多く実用化されている。
【０００３】
圧縮映像信号は、例えば、業務用デジタルカメラレコーダＤＶＣＰＲＯＨＤでは、１００Ｍｂｐｓ（メガビット／秒）ものデータレートがあるのに対し、携帯電話等で用いられるＭＰＥＧ４圧縮では、数１０Ｋｂｐｓ（キロビット／秒）程度しかなく、そのデータレートにはさまざまなものがある。一般的に、高画質であるほど圧縮率が低くなりデータレートは高く、記録媒体に記録するデータ量は多くなる。データ量が多くても高画質な映像を記録したいという用途とともに、画質は劣っても、少ないデータ量の映像を手軽に再生して確認したいという相反する用途もある。
【０００４】
そこでこのような要求に対して、データ量の多い高画質な圧縮映像信号と高圧縮率で少ないデータ量の圧縮映像信号とをひとつの記録媒体に記録する方法が考えられている。また、データ量の多い高画質な圧縮映像信号と高圧縮率で少ないデータ量の圧縮映像信号とを別々の記録媒体に記録する方法が考えられている。例えば特許文献１では、デジタルスチルカメラの一形態として、本画像と呼ぶ高画質の画像データを記録する主メモリカードと、本画像のサムネイル画像の画像データを記録する副メモリカードという２つのメモリカードを備えている。
【特許文献１】特開２００２−３４４７９０号公報
【発明の開示】
【発明が解決しようとする課題】
【０００５】
しかしながら、データ量の多い高画質な圧縮映像信号と少ないデータ量の圧縮映像信号とをひとつの記録媒体に記録する方法では、記録時間を実用程度に確保しようとするとデータ量の多さから容量の大きな記録媒体が必要となり、少ないデータ量の圧縮映像信号を手軽に再生できないという問題点があった。また、データ量の多い高画質な圧縮映像信号と、少ないデータ量の圧縮映像信号とを別々の記録媒体に記録すると、２つの記録媒体のペアの管理が煩雑となるという問題点があった。
【０００６】
本発明は、上記の問題点を解決するためになされたもので、データ量の多い高画質な圧縮映像信号と少ないデータ量の圧縮映像信号とを１組の記録媒体に記録し、記録時間を実用程度に確保しつつ、少ないデータ量の圧縮映像信号を手軽に再生できる映像記録装置を提供することを目的とする。
【課題を解決するための手段】
【０００７】
このような課題を解決するために本発明は、着脱可能な第１のメモリおよび第１のメモリよりも大容量である第２のメモリを備えた記録媒体に対して映像信号を圧縮した圧縮映像信号を記録する映像記録装置であって、映像信号を入力する映像入力手段と、映像入力手段から入力された映像信号を圧縮符号化して第１の圧縮映像信号および第２の圧縮映像信号を生成する符号化手段と、記録媒体への書き込みの制御を行う制御手段とを有し、符号化手段は、第１の圧縮映像信号を第２の圧縮映像信号よりもデータ量が少なくなるように圧縮符号化し、制御手段は、第１の圧縮映像信号を前記第１のメモリに記録し、第２の圧縮映像信号を第２のメモリに記録する映像記録装置としたものである。
【０００８】
また、本発明は、着脱可能なＳＤメモリカードと、前記ＳＤメモリカードよりも大容量であるメモリとを備え、ＰＣＭＣＩＡに準拠したカード形状である記録媒体としたものである。
【発明の効果】
【０００９】
本発明により、データ量の多い高画質な圧縮映像信号と少ないデータ量の圧縮映像信号とを一体となっている１組の記録媒体に記録することで容易に管理ができると共に、データ量の少ない圧縮映像信号の記録されたメモリカードを必要に応じて記録媒体から取り外し、他の機器で手軽に内容の確認やデータ送信を行える。  
【発明を実施するための最良の形態】
【００１０】
本発明の実施形態に係る映像記録装置および記録媒体について、図面を参照して説明する。
【実施例１】
【００１１】
図１は、本実施形態の映像記録装置の構成を示すブロック図である。以下、映像記録装置２００の構成の概要について説明する。映像入力手段であるカメラ１３７から入力された映像信号は、映像処理手段１３２で信号処理される。また、音声入力手段であるマイク１３８から入力された音声信号は、音声処理手段１３５で信号処理される。信号処理された映像信号は、符号化手段としてのエンコーダ１３１によって圧縮符号化処理を施され、圧縮映像信号とされる。圧縮映像信号および音声信号は、Ｉ／Ｏバス１２１を経由してＰＣＭＣＩＡ  Ｉ／Ｆ１１０に送られ、スロット１１１に装着された記録媒体１００に記録される。なお、映像入力手段や音声入力手段としては、カメラ１３７やマイク１３８の他、単に外部入力端子を設けてそこから入力するようにしてもよい。
【００１２】
記録媒体１００に記録された圧縮映像信号および音声信号は、復号化手段としてのデコーダ１３３でデコードされ、出力手段１３４から映像音声出力として出力される。出力手段１３４に映像モニタやスピーカ等を接続することにより、ユーザは記録媒体１００に記録された内容を確認する。
【００１３】
記録再生の開始、終了や記録方式の設定等の指示は、ユーザから入力手段１３０を経由して入力される。制御手段１２０は、入力されたユーザからの指示を認識し、各処理を行うために各部への制御を実行する。
【００１４】
図２は、本発明の映像記録装置２００にて使用する記録媒体１００の構成を示した図である。記録媒体１００は、ＰＣＭＣＩＡ規格に準拠したメモリカードの形態であり、さらにメモリカード１０１を着脱可能なスロット１０４を備えている。メモリカード１０１としては、広く普及しているＳＤメモリーカード等を用いることができる。メモリカード１０１は、第１のメモリ１０２を備えている。また、記録媒体１００は、メモリカード１０１の他に、第２のメモリ１０３も備えている。第２のメモリ１０３は、図２のように複数のメモリから構成されていてもよい。また、第２のメモリ１０３を構成するメモリは、ＳＤメモリーカードであってもよい。この場合、図２においては記録媒体１００には合計４つのＳＤメモリーカードが含まれることになるが、そのうち着脱可能なのはメモリカード１０１のみである。また、第２のメモリ１０３（複数のメモリからなる場合にはその合計）は、第１のメモリ１０２よりも大容量である。なお、メモリ１０２やメモリ１０３は、ＳＤカード以外にメモリースティック、ｘＤ−ピクチャーカード、ＣＦカード、ＭＭカード等でもよいことはいうまでもない。
【００１５】
記録媒体１００とメモリカード１０１には、それぞれユニークなＩＤがメモリ内部に記録されている。そして、お互いの対応関係が判別できるように、記録媒体１００にはメモリカード１０１のＩＤが、メモリカード１０１には記録媒体１００のＩＤがそれぞれ記録されている。これにより、対応関係でない別の映像が記録されたメモリカードを記録媒体１００に誤挿入した状態で、記録媒体１００を映像記録装置２００に挿入した場合でも、映像記録装置２００側でエラーとしてユーザに通知する等の処理を行うことが可能となる。これらのＩＤは、記録媒体１００やメモリカード１０１の製造時に付与されたシリアル番号を使用して生成し、メモリカード１０１を装着した記録媒体１００を初期化する時に、それぞれに記録することができる。
【００１６】
映像記録装置２００は、ＰＣＭＣＩＡ  Ｉ／Ｆ１１０を通じて記録媒体中の第１のメモリ１０２および第２のメモリ１０３に対して記録再生を行う。第１のメモリ１０２および第２のメモリ１０３のどちらに対して記録再生を行うかは、映像記録装置からメモリのいずれかを指定してアクセスする方法や、両者をひとつのアドレス空間にマッピングし、そのアドレス空間でのアドレスを指定することによってそれぞれのメモリにアクセスする方法が考えられる。また、これらの制御は、映像記録装置２００内の制御手段１２０か、または記録媒体１００内の制御手段（図示せず）にて行う。
【００１７】
以下、映像記録装置２００で映像や音声を記録媒体１００に記録する際の動作について説明する。カメラ１３７で撮影された映像信号はエンコーダ１３１によりＤＶＣＰＲＯフォーマット等の高画質フォーマットで圧縮され、圧縮映像信号Ｖ２となり、メモリ１０３に記録される。カメラ１３７で撮影された映像信号は、撮影と同時にエンコーダ１３１により間引き後、ＭＰＥＧ４等の圧縮率の高いフォーマットで圧縮されて圧縮映像信号Ｖ１となり、メモリ１０２に記録される。圧縮映像信号Ｖ１は、圧縮映像信号Ｖ２よりも圧縮率を高めるか、画面解像度を低くする（画像を縮小する）か、またはそれらの両方を行うことにより、圧縮映像信号Ｖ２よりもデータ量が少なくなるようにする。上記のように圧縮映像信号Ｖ２のフォーマットをＤＶＣＰＲＯ（画面解像度１９２０×１０８０ピクセル等）、圧縮映像信号Ｖ１のフォーマットをＭＰＥＧ４（画面解像度３２０×２４０ピクセル等）とすれば、これらの両方が満たされることになる。
【００１８】
マイク１３８から入力された音声信号Ａ１もメモリ１０２に収録される。また、撮影日時等の映像付随データＭＥＴＡ１も、メモリ１０２に記録される。
【００１９】
圧縮映像信号Ｖ２を再生する際には、メモリカード１０１を装着した状態の記録媒体１００を映像記録装置２００に装着し、圧縮映像信号Ｖ２をデコードして映像信号を復元して再生する。メモリカード１０１に音声信号Ａ１や映像付随データＭＥＴＡ１が記録されている場合には、圧縮映像信号Ｖ２をそれらと共に再生する。
【００２０】
また、メモリカード１０１には圧縮映像信号Ｖ２と同じ映像だがデータ量の少ない圧縮映像信号Ｖ１が記録されているので、メモリカード１０１を記録媒体１００から取り外し、単体で持ち運び、別の機器で再生することで、記録媒体１００やメモリ１０３の内容を手軽に確認できる。圧縮映像信号Ｖ１の記録フォーマットをＭＰＥＧ４のように汎用性の高いフォーマットとすれば、メモリカード１０１を携帯電話、ＰＤＡ、パソコン、各種ＡＶ機器等、様々な機器に装着して再生することが可能となる。また、圧縮映像信号Ｖ１のデータ量は圧縮映像信号Ｖ２よりもデータ量が小さいため、携帯電話等、通信機能をもった機器にメモリカード１０１を装着することで、これらのデータを容易に転送することが可能となる。また、メモリカード１０１に音声信号Ａ１や映像付随データＭＥＴＡ１が記録されている場合には、圧縮映像信号Ｖ１をそれらと共に再生することができる。
【００２１】
また、圧縮映像信号Ｖ２の解像度をＨＤ（Ｈｉｇｈ  Ｄｅｆｉｎｉｔｉｏｎ）、圧縮映像信号Ｖ１の解像度をＳＤ（Ｓｔａｎｄａｒｄ  Ｄｅｆｉｎｉｔｉｏｎ）としてもよい。こうすることにより、より一般的なＳＤ映像を再生可能な機器で、再生時にＨＤ映像をＳＤ映像にダウンコンバートすることなく、メモリカード１０１の内容を再生することが可能となる。
【００２２】
なお、メモリ１０２には、入力された映像信号のうち、所定の選択方法によって選択された箇所のみが圧縮符号化されて記録されるようにしてもよい。所定の選択方法とは、例えば記録開始直後の所定の時間またはフレームを選択する方法が考えられる。また、入力手段１３０の所定のボタンを押された時に、その時刻から所定の時間またはフレームを選択する方法が考えられる。このように、着脱可能なメモリカード１０１に代表的なシーンを記録すれば、記録媒体１００に記録した映像の代表的なシーンを、メモリカード１０１単体で再生できる。
【００２３】
また、メモリ１０２およびメモリ１０３に記録する映像信号を、以下のように構成することもできる。すなわち、カメラ１３７から入力される映像（例えば、ＨＤ映像）から、まず間引き処理等により縮小された映像（例えば、ＳＤ映像）を作成し、これを圧縮符号化して圧縮映像信号Ｖ１としてメモリ１０２に記録する。一方、入力映像から縮小映像を減算した差分について、圧縮符号化して圧縮映像信号Ｖ２としてメモリ１０３に記録する。
【００２４】
この場合、圧縮映像信号Ｖ２を再生する際には、記録媒体１００にメモリカード１０１を装着し、圧縮映像信号Ｖ１と同時にデコードし、両者を加算して元の映像信号を復元して再生する。また、メモリカード１０１に記録された圧縮映像信号Ｖ１は、単独での再生が可能である。このようにすることにより、二つの圧縮映像信号の冗長な部分を削減してデータ量を少なくすることができる。
【００２５】
なお、メモリ１０２に記録される圧縮映像信号Ｖ１は、必ずしも圧縮映像信号Ｖ２と同時に生成される必要はなく、一連の映像の記録が終了した後で圧縮映像信号Ｖ２をフォーマット変換して生成するようにしてもよい。フォーマット変換は、制御手段１２０の制御により、フォーマット変換手段（図示せず）がメモリ１０３から圧縮映像信号Ｖ２を読み出してフォーマット変換し、メモリ１０２に記録することで行われる。圧縮映像信号Ｖ１の生成は、記録終了後直ちに行ってもよいし、ユーザの指示を入力手段１３０を通じて受けたときに行ってもよい。また、記録媒体１００を映像記録装置２００から取り出そうとしたときに行ってもよい。いずれにしても、ユーザが記録媒体１００を取り出し、さらにそこからメモリカード１０１を取り出して圧縮映像信号Ｖ１を再生する時までに、圧縮映像信号Ｖ１が生成されていることになる。
【００２６】
なお、メモリカード１０１には、記録媒体１００中の圧縮映像信号Ｖ２を再生するための鍵情報が記録されていてもよい。この鍵情報は、映像記録装置２００は、記録媒体１００中の圧縮映像信号Ｖ２を再生するときには、メモリカード１０１中の鍵情報を参照し、正しい鍵情報であれば圧縮映像信号Ｖ２をデコードして再生する。一方、正しい鍵情報が記録されていない、またはメモリカード１０１が記録媒体に装着されていない場合には、圧縮映像信号Ｖ２は再生しない。鍵情報は、記録媒体１００の初期化時に、ＩＤ等と共に生成して記録することができる。メモリカード１０１を記録媒体１００から取り外しておくことにより、記録媒体１００内に記録された映像を他人が無断で再生することができなくなり、情報の機密性が保たれる。
【００２７】
上記の構成の映像記録装置２００および記録媒体１００では、１つの記録媒体１００に高画質な圧縮映像信号Ｖ２と、圧縮率が高く容量の少ない圧縮映像信号Ｖ１とが記録されているので、そのペアが崩れることなくハンドリングでき管理が容易である。また、容量の少ない圧縮映像信号Ｖ１、音声Ａ１および撮影時の付随データＭＥＴＡ１が記録された第１のメモリ１０２を備えたメモリカード１０１を記録媒体１００から取り出すことが可能であるため、そのメモリカードに対応したビデオレコーダ／プレーヤ等で、その内容を確認することが出来る。また、メモリカード対応の携帯電話も広く普及しているため、その撮影内容、取材内容を携帯電話で再生して確認することや、携帯電話網を通じて撮影、取材の現場から送信することも可能である。
【産業上の利用可能性】
【００２８】
以上のように、本発明に係る映像記録装置および記録媒体は、高画質な圧縮映像信号を記録しつつ、内容の確認、送信をデータ量の少ない圧縮映像信号で簡便に行えるため、たとえば、ニュース取材機器に適している。
【図面の簡単な説明】
【００２９】
【図１】映像記録装置の構成を示すブロック図
【図２】記録媒体の構成を示す図
【符号の説明】
【００３０】
１００  記録媒体
１０１  メモリカード
１０２  第１のメモリ
１０３  第２のメモリ
１０４  スロット
１１０  ＰＣＭＣＩＡ  Ｉ／Ｆ
１１１  スロット
１２０  制御手段
１２１  Ｉ／Ｏバス
１３０  入力手段
１３１  エンコーダ
１３２  映像処理手段
１３３  デコーダ
１３４  出力手段
１３５  音声処理手段
１３７  カメラ
１３８  マイク
２００  映像記録装置Ｖ１    圧縮率の高い圧縮映像信号
Ｖ２    高が質な圧縮映像信号
Ａ１    音声信号
ＭＥＴＡ１  付随データ
【図１】
2005167457.tif 000003
【図２】
2005167457.tif 000004